(57)【要約】フレーム（３５）が、積荷を吊り上げるのに用いられる吊り上げ機器に取り付けられている間、検出システムを支持するためのものであり、フレーム（３５）が吊り上げ機器に実装されている間、積荷から離隔されるように、フレーム（３５）を吊り上げ機器に取り付けるための取り付けブラケット（５２Ａ、５２Ｂ)と、検出システムをフレームに実装するための少なくとも１つの実装ブラケットと、を備えている。
2009542552.tif 000002
【特許請求の範囲】
【請求項１】
積荷を吊り上げるのに用いられる吊り上げ機器に、取り付けられている間、検出システムを支持するための、フレームであって、
フレームが、吊り上げ機器に実装されている間、積荷から離隔されるように、
フレームを吊り上げ機器に取り付ける、取り付けブラケットと、
検出システムをフレームに実装するための、少なくとも１つの実装ブラケットと、
を備えている、フレーム。
【請求項２】
吊り上げ機器に取り外し可能に取り付けられている、請求項１に記載のフレーム。
【請求項３】
吊り上げ機器と積荷とによって定められる空間内に完全に収まるようになっている、請求項１に記載のフレーム。
【請求項４】
上記フレームに沿って長手方向に離隔された、複数の支持ブラケットを、更に、備えている、請求項１に記載のフレーム。
【請求項５】
吊り上げ機器から吊り下げられている、請求項１に記載のフレーム。
【請求項６】
吊り上げ機器の最外位置の対向する端の近傍に実装されている、請求項１に記載のフレーム。
【請求項７】
吊り上げ機器の全長にわたっている、請求項１に記載のフレーム。
【請求項８】
吊り上げ機器の伸長に適応するように、選択的に伸長可能である、請求項１に記載のフレーム。
【請求項９】
少なくとも１つの側方接続部材を介して接続されている、平行アームを、備えている、請求項１に記載のフレーム。
【請求項１０】
少なくとも１つの側方接続部材が、検出システムの少なくとも一部分を支持するために用いられる、少なくとも１つのプラットフォームを、備えている、請求項８に記載のフレーム。
【請求項１１】
３つの側方接続部材を備えており、該部材の１つが、検出システムを実装するためのプラットフォームである、請求項８又は９に記載のフレーム。
【請求項１２】
選択的に伸長可能なフレームが、伸縮アームを備えている、請求項７に記載のフレーム。
【請求項１３】
選択的に伸長可能なフレームが、入れ子式アームを備えている、請求項７に記載のフレーム。
【請求項１４】
選択的に伸長可能なフレームが、伸長可能な部分を固定したアームを備えており、伸長可能な部分は、対応する固定された部分に隣接／平行に実装されている、請求項７に記載のフレーム。
【請求項１５】
アームが、上向きの開口部分を伴う、開チャンネル断面を備えている、請求項８に記載のフレーム。
【請求項１６】
上記開チャンネルが、検出システムを受け入れるようになっている、請求項１４に記載のフレーム。
【請求項１７】
上記実装ブラケットが、ボルト接合、溶接接合、及び、シャーピンの、何れか１つ又はそれらの組合せを用いて、吊り上げ機器に取り付けられている、請求項１に記載のフレーム。
【請求項１８】
吊り上げ機器が、コンテナ吊り上げ用スプレッダーである、請求項１に記載のフレーム。
【請求項１９】
吊り上げ機器が、１より多くのコンテナを吊り上げるようになっているスプレッダーである、請求項１に記載のフレーム。
【請求項２０】
積荷検出アッセンブリであって、
積荷を係合して吊り上げるための、吊り上げ機器と、
検出システムを支持するためのフレームであって、積荷から離隔されるように吊り上げ機器に取り付けられている、フレームと、
を備えている、アッセンブリ。
【請求項２１】
フレームが、吊り上げ機器と積荷とによって定められる空間内に完全に収まるようになっている、請求項１９に記載のアッセンブリ。
【請求項２２】
上記フレームに沿って長手方向に離隔された複数の支持ブラケットを、更に備えている、請求項１９に記載のアッセンブリ。
【請求項２３】
フレームが、請求項１乃至１９に記載のフレームである、請求項２０に記載の積荷検出アッセンブリ。
【発明の詳細な説明】
【技術分野】
【０００１】
本発明は、積荷を吊り上げるための装置に関し、より詳しくは、上記積荷の内、定形外のものを検出するため、上記吊り上げ機器に用いられる検出システムに関するものである。上記吊り上げ機器の一例には、しかし限定するものではないが、輸送コンテナに係合するためのスプレッダーであって、例えば、核分裂性又は放射性の物質の存在を検出するための装置を、含んでいる検出システムを、備えているスプレッダーがある。
【背景技術】
【０００２】
コンテナ内の核分裂性の物質を検出するシステムは、米国特許第６，７６８，４２１号に記載されており、その内容は、引用することによって、ここに取り込まれる。ここで、スプレッダーは、コンテナ内の、放射性物質又は潜在的放射能遮蔽物質を、検出するための検出装置を含むように構成されている。
【０００３】
このタイプの配列には、幾つかの欠点がある。第１に、スプレッダーの保守制御と、可能な限り迅速に今まで通り操作すること、のために、スプレッダーは、複雑な機器となり得る。この複雑さは、目的の不一致を示唆しており、この結果、検出機具の理想位置が、信用できなくなってしまう。あるいは、そのようなスプレッダーは、高価な再設計を導く、検出システムを適応させるための実質的な修正を、必要とするであろう。第２に、検出機具の保守は、スプレッダーの動作不能時間を導くことになる。そのことは、各コンテナを調査するために好ましいことであるが、一方で、ポートを通過するコンテナの流量を、今まで通り保つ必要がある。あらゆるスプレッダー内においてではないが、検出システムの欠陥に起因して、スプレッダーが利用できない間、スプレッダーの動作不能時間は、実質的な遅延を導き、結果、損失を生じる。
【０００４】
代わりの配列は、米国特許第６，９９８，６１７号に示されており、その内容は、引用することによって、ここに取り込まれる。ここで、検出機具は、スプレッダーとコンテナとの中間に置かれているフレームに実装されている。検出機具の正しい整列位置を確保するため、フレームは、スプレッダーと共に、フレームの各コーナーの底脚上のツイストロックを用いてコンテナに実装されている。上記スプレッダーは、これらの脚の上部部分に、再びツイストロックを用いて、実装されている。故に、スプレッダーは、中間検出フレームを介してコンテナに間接的に実装されている。
【先行技術文献】
【特許文献】
【０００５】
【特許文献１】米国特許第６，７６８，４２１号
【特許文献２】米国特許第６，９９８，６１７号
【０００６】
スプレッダーと係合コンテナとの間の接続の長さは、予想外の力がかけられたとき、スプレッダーとコンテナとに対する損傷を防ぐように、スプレッダーの設計に考慮されている。スプレッダーとコンテナとの間に中間フレームを使用することは、この長さを、且つ、結果として、この接続に関連するレバーアームを、２倍にまで増加する。
【０００７】
長さを２倍にすることによって、印加モーメントも２倍となり、ツイストロック接続を損傷する機会を増加する。更に、スプレッダーの各コーナーの“フリッパ”は、スプレッダーをコンテナ上に設置するために規定荷重が印加されるように設計されており、回転点とコンテナの係合コーナーとの間のレバーアームにある。接続長さを２倍にすることによって、レバーアームは、また、２倍になり、且つ、その結果、スプレッダーをコンテナ上に設置するのに用いられているフリッパの、印加された力は半分になり、これ故、フリッパの効果を減少している。
【０００８】
いずれにしても、定位置において、中間検出フレームを備えているコンテナ上でフリッパを用いるために、スプレッダーを改良し、より長いフリッパを用いることができるようにすることが要求されている。このことは、例え外観だけでも、スプレッダーを改良しなければならないという独自の問題へと、当然に戻る。更に、修正されたフリッパを有しているスプレッダーは、既存の中間フレームを伴うことなく、コンテナに容易に用いることができない。
【発明の概要】
【０００９】
本発明の目的は、先行技術の問題を最小限にする検出装置を支持する手段を提供することである。
【００１０】
第１の態様において、本発明は、積荷を吊り上げるのに用いられる吊り上げ機器に、取り付けられている間、検出システムを支持するための、フレームであって、フレームが、吊り上げ機器に実装されている間、積荷から離隔されるように、フレームを吊り上げ機器に取り付ける、取り付けブラケットと、検出システムをフレームに実装するための、少なくとも１つの実装ブラケットと、を備えている、フレームを提供する。
【００１１】
本発明の配列は、幾つかの利点をもたらす。フレームは、積荷に接触していないため、それ故、スプレッダー／フレームアッセンブリの高さを上げるような、結合配列を、要求しない。それ故、標準スプレッダーに用いられるフリッパは、変更無く使用でき、フリッパのより良い性能と、従来技術に比して短縮された、ツイストロック係合のレバーアームと、をもたらす。
【００１２】
好ましい実施形態において、フレームは、吊り上げ機器に取り外し可能に実装することができ、これによって、フレームは、除去又は交換できるようになっている。このことは、吊り上げ機器又は検出システムが他の構成要素に影響することなく保守を実行できることを、可能とする。
【００１３】
好ましい実施形態において、フレームは、吊り上げ機器と積荷とによって定められる空間内に完全に収まるようになっている。幾つかの場合において、吊り上げ機器と積荷とは、上部境界を形成している吊り上げ機と、下部境界を定めている積荷と、によって、空間を、定めることができる。この実施形態において、フレームは、空間外側に突出して外部のものに干渉することが無いように、この空間内に完全に収まることができる。
【００１４】
より好ましい実施形態において、吊り上げ機器と積荷との間の接続点は、吊り上げ機器のコーナーと積荷のコーナーとの間を取り付けている、柱又は支柱を、含んでおり、これによって、吊り上げ機器と積荷と共に、“かご”配列を定めている。そのような例は、ツイストロック部分によって、輸送コンテナを吊り上げるスプレッダーを含むことができる。上記ツイストロック部分は、スプレッダーから輸送コンテナのコーナーへと突出している。この好ましい実施形態において、フレームは、空間内に完全にあるだけでなく、ツイストロック配列のコーナーによって定められた“かご”内に完全にある。
【００１５】
好ましい実施形態において、フレームは、また、上記フレームに沿って長手方向に離隔された複数の支持ブラケットを含んでいる。これらの支持ブラケットは、フレームを吊り上げ機器へと取り付け、これによって、吊り上げ機器からフレームの長さを支持する手段、を提供する。そのような支持ブラケットは、簡単な取り付け点を含んでもよく、又は、ボルト留めしたり溶接したりするようになっている、現存の吊り金具へ伸長してもよく、又は、別の方法で、必要な支持を提供するように、吊り上げ機器を係合してもよい。
【００１６】
好ましい実施形態において、フレームは、取り付けブラケットによって、吊り上げ機器に取り付けられ得る。上記取り付けブラケットは、フレームが吊り上げ機器から吊り下げられるように、吊り金具又は他の支持部材に接続する能力を含んでいる。あるいは、フレームは、取り付けブラケットによって、吊り上げ機器の垂直に伸張している部分に取り付けることができる。上記取り付けブラケットは、フレームの最外位置の端に設置されている。
【００１７】
より好ましい実施形態において、フレームは、吊り上げ機器の最外位置の対向する端の近傍に実装され得る。故に、フレームが、吊り上げ機器の長さに完全にわたるようにするために、取り付けが、吊り上げ機器の垂直に伸長している部材によるか、フレームを吊り下げるように吊り金具を配列することによるか、にかかわらず、取り付けブラケットを吊り上げ機器の最外位置の端に取り付けることは、有利なものとなり得る。
【００１８】
場合によっては、フレームは、種々のサイズ又は多様なバージョンの積荷を吊り上げるようになっている吊り上げ機器に、取り付けられる必要がある。そのような例の１つは、国際公開第２００１／０６２６５７号に開示されており、その内容は、参照することによって、ここに取り込まれている。開示されているのは、端から端まで、多くのコンテナを吊り上げるためのスプレッダーである。この場合のスプレッダーは、２つの２０フィートコンテナ、若しくは、１つの４０フィートコンテナを吊り上げるため、長手方向に伸長可能なものであり、又は、１つの２０フィートコンテナに用いることができるように収縮できるものである。本発明の一実施形態のフレームは、また、この伸長又は収縮に適応するように長手方向に調節可能なものであり得る。より好ましい実施形態においては、フレームは、選択的に伸長可能又は収縮可能なものであり、これによって、フレームは、取り付けられる吊り上げ機器の伸長／収縮に自動的に追随するようになっている。
【００１９】
代わりの配列は、国際公開第２００５／０９０２２３号に開示されており、その内容は、参照することによって、ここに取り込まれている。ここでは、吊り上げ機器が開示されており、この場合では、薄いスプレッダーアッセンブリによって、スプレッダーは、１つ又は２つのコンテナを、並べて、収納するように、側方に分離可能である。好ましい実施形態において、フレームは、取り付けられる吊り上げ機器の側方の伸長／収縮に適応するように、側方に伸長可能なものでも良い。
【００２０】
好ましい実施形態において、フレームは、少なくとも１つの側方接続部材によって接続されている、２又はそれより多くの平行アームを備えることができる。側方接続部材は、更に、検出機具を支持するのに役立つプラットフォームでもよい。更なる実施形態では、平行アームをプラットフォームに接続するための単純部材の、又は、検出システムの支持態様のための特設部材の、カテゴリへと分割された、複数の側方接続部材がある。
【００２１】
更に好ましい実施形態において、アームは、フレームの前述した伸長可能性に適応するように、上記アームを伸長するための手段を含んでも良い。例えば、一実施形態において、アームは、伸縮自在、即ち、固定されたアーム内で入れ子式にされている、１又はそれより多くのセグメントを有するもの、であっても良い。あるいは、アームは、固定された部分に対して平行に置かれた、１又はそれより多くの伸長アーム部分を、含んでも良い。フレームを伸長するため、可動部分は、固定されたアームのある面に沿って摺動しても良い。
【００２２】
更なる実施形態において、アームは、開チャンネル断面(section)又は他の開断面で構成されても良い。更に、アームは、上方に面している開断面を有しても良い。このことは、検出システムのケーブル又は他の構成要素に適応する有利な点を提供する。
【００２３】
フレームを構成している種々の手段と、また、それを吊り上げ機器に取り付けるための手段とは、当事者である対象者にとってありふれたものであり、ボルト接合、溶接接合、及び、シャーピン等の内の何れか１つ又はそれらの組合せを含むことができる。
【００２４】
本発明の第２の態様において、本発明は、積荷検出アッセンブリを提供する。該積荷検出アッセンブリは、積荷を係合して吊り上げるための、吊り上げ機器と、検出システムを支持するためのフレームと、を含んでおり、上記フレームは、積荷から離隔されるように、吊り上げ機器に取り付けられている。
【図面の簡単な説明】
【００２５】
本発明の可能な配列を図示する添付の図面に関して、本発明を更に説明するのが便宜である。本発明の他の配列は、可能であり、その結果、添付図面の特長は、先述した本発明の普遍性に優先するものと理解されるべきものではない。
【図１】輸送コンテナに実装され、且つ、本発明の一実施形態によるフレームを有している、吊り上げ機器の等角図である。
【図２】図１に示されているような輸送コンテナに実装された、吊り上げ機器の正面図である。
【図３】本発明の第２実施形態によるフレームの等角図である。
【図４】図３に示されているフレームの平面図である。
【図５】本発明の第３実施形態によるフレームの等角図である。
【図６】図５に示されているフレームの平面図である。
【発明を実施するための形態】
【００２６】
図１は、端から端にかけて置かれた１対のコンテナ５Ａ、５Ｂに係合したスプレッダー１を示している。スプレッダー１は、最外位置にあるコーナー１１Ａ乃至１１Ｄで、及び、コンテナ５Ａ、５Ｂの内側コーナーの内側で、各々、ツイストロック係合を介して、コンテナ５Ａ、５Ｂを係合している。当然のことながら、以下の説明は、単一のコンテナに係合するスプレッダーに等しく適用することができるものであり、且つ、事実、他のタイプの積荷吊り上げ機器に適用することができるものである。
【００２７】
スプレッダー１には、フレーム１０が実装されている。図２に示すように、フレーム１０は、上のスプレッダー１と、下のコンテナ５Ａ、５Ｂと、ツイストロック係合１５Ａ乃至１５Ｄ、１６Ａ、１６Ｂと、によって形成される“かご”によって定められた空間３０内に、実装されている。故に、フレーム１０は、コンテナ５Ａ、５Ｂから離隔されている空間内に完全に横たわっており、その結果、第１に、如何なる外部のものに干渉せず、更に、スプレッダー１とコンテナ５Ａ、５Ｂとの間の接続にも干渉しない。故に、フレーム１０が、スプレッダー１とコンテナ５Ａ、５Ｂとの間の接続に干渉しないような位置に置かれているため、スプレッダーの各コーナーのフリッパ１５は、従来タイプのもので良く、中間フレームの内包物を収納するように過度に伸長するものでなくて良い。
【００２８】
フレーム１０は、その結果、最外位置にある端２０Ａ、２０Ｂで、スプレッダーに実装されており、更に、フレームの重量を支持するように中間点２５Ａ、２５Ｂで支持されている。このことは、フレーム１０の重量が、そして、搬送できる任意の荷重が、その長さに沿うフレームの行き過ぎたたわみを導くものではない、という場合において、構造上の利点と有用性の利点とを有するものである。
【００２９】
図３及び図４は、フレーム３５の、一実施形態の詳細を示している。ここで、フレームは、中央部分４０に伸縮自在に係合している伸長可能なアーム４５Ａ、４５Ｂで構成されており、これによって、フレームは、フレーム３５が実装されるスプレッダーの長さに適応するように、アーム４５Ａ、４５Ｂを伸長することによって選択的に伸長可能になっている。フレーム自体は、この実施形態においては、フレーム３５をスプレッダー１から取り外すための、ボルト接合又はシャーピンの使用でもよいブラケット５２Ａ、５２Ｂによって、フレームに取り外し可能に係合可能であり、フレームを交換するために、又は、とにかく、フレームに対する保守に要求される、スプレッダー１の休止時間を、減少するために、作業者は、シャーピンを引き抜くことのみが要求される。
【００３０】
フレームの目的を、現在導いているものは、プラットフォーム５５内においてみられる、検出装置６０、６５の配置である。この実施形態において、２つの検出ユニットが存在しているが、しかし、本発明は、２つのタイプのみの使用に限定するものではなく、使用者の要求による種々の異なる検出器を網羅することができる。これらのユニット６０、６５の配置のパターンは、フレームが実装されたコンテナ５Ａ、５Ｂから放射されている放射線を検出するという要求による。放射線を検出するための手段の詳細は、米国特許第６，７６８，４２１号に開示されており、この開示との組合せにおいて、当業者である対象者は、検出ユニット６０、６５の正確な配置に対する必要性と妥当性とを正しく認識できる。この配置は、図４により詳細に見ることができる。ここでは、部材４５Ａ、４５Ｂは、更に、内部に検出ユニット７０、７５を包含しており、これによって、フレーム内に、かなりの数の検出ユニットを所望のパターンで置くことができるようになっている。開チャンネル断面を用いることは、有益なことであり、検出ユニットに対するアクセスが、この実施形態の閉じた断面部材に比べて、より容易に達成できる、ということが、正しく認識されるだろう。
【００３１】
先行技術によるシステムにおいては、検出ユニットが、スプレッダー内に置かれており、それが、非常に限定且つ制限された配列を提示していた、ということが更に正しく認識される。本発明は、提示された他の利点に加えて、分配におけるより大きな柔軟性を提示している。当業者である対象者は、広範且つ多様性のある検出ユニットの分配を達成するため、フレームの多くの異なる方向を正しく認識する。全ての上記検出ユニットの分配は、発明の範囲に含まれ、先行技術によって提示されていない固有の利点をもたらす。
【００３２】
故に、この実施形態では、フレーム３５の選択的な伸長は、スプレッダーとコンテナとの機能に最小限の影響を与えるところの、フレームの広い範囲の柔軟性を、提供する。
【００３３】
図５及び図６は、フレーム８０の更なる実施形態を示しており、それによれば、検出ユニットの、追加の強さと、より広範な分配と、の双方のために、フレーム８０は、各伸長可能グループ８５Ａ、８５Ｂ内に３つの平行アームを内蔵している。前の実施形態と同様に、中央プラットフォーム１００は、多くの検出ユニットを収容している。更に、図６に示されているように、アーム内の検出ユニットの内側位置は、検出ユニットの数を増加している。更に、フレーム８０の実装をスプレッダーの最外位置にある端に付与することは、フレーム長さに沿って、そして、結果として、コンテナの全長に対する、検出ユニットの分配を増加する。この増加された分配は、コンテナ用の放射線痕跡が測定できる、コンテナからの放射線放射のマップを形成する、という利点を有している。それ故、そして、先行技術と比べられるように、本発明によるフレームは、より正確なマップを形成し、結果として、検出ユニットをスプレッダーに直接実装するよりも、より正確にコンテナの痕跡を定式化することができる。更に、本発明のフレームは、また、フレームの長さにわたり、同等以上の分配で、小さな検出ユニットを置くことができることによって、検出ユニットの密度を増加する。この実施形態内のプラットフォーム１００のサイズが、限定されていないため、また、エンドユーザによって所望される、より大きなユニットが、使用され得る。
【図１】
2009542552.tif 000003
【図２】
2009542552.tif 000004
【図３】
2009542552.tif 000005
【図４】
2009542552.tif 000006
【図５】
2009542552.tif 000007
【図６】
2009542552.tif 000008
【国際調査報告】
2009542552.tif 000009
2009542552.tif 000010